(57)【特許請求の範囲】
【請求項１】
室内の開口部に沿って備え付ける物干し装置であって、
上記物干し装置が、干し竿と、干し竿の両端に備え付けられる一対の腕部と、上記腕部の一端が水平方向または斜め方向または垂直方向に回動するように軸着される支持部と、支持部を開口部側面に固定する台部からなり、
上記支持部は、上記腕部を回動操作する際、上記腕部の端面と支持部の上面との隙間が一定の狭い間隔となるようにその上部断面が略円弧状に形成されている物干し装置
【請求項２】
開口部側面と台部との間にスペーサーを介して固定する請求項１に記載の物干し装置
【発明の詳細な説明】
【技術分野】
【０００１】
本発明は、窓や浴室、洗面所といった室内の開口部側面に設置して使用する物干し装置に関する。
【背景技術】
【０００２】
従来から、例えば特許文献１に記載のあるように、窓や掃き出しといった開口部に設置して、物干し手段として用いない場合は開口部に沿って納められ、物干し手段として用いる場合には開口部から室内側に取り出して用いる、回動式の物干し装置が良く知られている。そして、この物干し装置の上げ下げには、腕部が開口部側面と水平方向または垂直方向に回動する機構と、腕部が水平方向または斜め方向または垂直方向に回動する機構が主に用いられている。
【０００３】
しかしながら、このような物干し装置は開口部に沿って備え付けるため、腕部と開口部側面との隙間が指が入らない程の狭い隙間であり、物干し装置を上げ下げする際、腕部が握り難いという問題があった。更に、図６に示すように、腕部が水平方向または斜め方向または垂直方向に回動する物干し装置においては、回動時に発生する、腕部と支持部間の隙間Eに指を挟む危険があるという問題があった。          
【特許文献１】特開Ｈ０９−２５３３９２号公報
【発明の開示】
【発明が解決しようとする課題】
【０００４】
本発明は上記問題点に鑑みなされたもので、物干し装置の操作時において腕部が握りやすく、また、腕部と支持部間の隙間で指を挟みにくい、操作性及び安全性の高い物干し装置を提供することを目的とする。
【課題を解決するための手段】
【０００５】
上記目的を達成するために、請求項１に係る発明の物干し装置は、干し竿と、干し竿の両端に備え付けられる一対の腕部と、上記腕部の一端が水平方向または斜め方向または垂直方向に回動するように軸着される支持部と、支持部を開口部側面に固定する台部からなり、上記支持部は、上記腕部を回動操作する際、上記腕部の端面と支持部の上面との隙間が一定の狭い間隔となるようにその上部断面が略円弧状に形成されている物干し装置であることを特徴とする。
【０００６】
請求項１の発明では、物干し装置を上げ下げする際、腕部と支持部間の隙間を、腕部の水平方向または斜め方向または垂直方向に回動する動きに沿って一定の間で保つように支持部の上部断面が略円弧状となっているので、上記隙間に指を挟みにくくする事ができる。
【０００７】
また、請求項２に係る発明の物干し装置は、請求項１の発明の物干し装置において、開口部側面と台部との間にスペーサーを介して固定することを特徴とする。
【０００８】
請求項２の発明は、請求項１の発明において、物干し装置の操作性をより高めたもので、開口部側面と台部との間にスペーサーを挟むことにより、開口部側面と腕部との隙間が広げられて指が入りやすくなるため、、請求項1の発明の効果に加えて、腕部が握りやすくなり、物干し装置の上げ下げをより容易にすることができる。
【発明の効果】
【０００９】
このように本発明は、支持部の上部断面が略円弧状であることにより、物干し装置の上げ下げ時に発生する、支持部と腕部間の隙間が常に狭くなるため、指が挟まれにくく、また、開口部側面と台部の間に設けるスペーサーにより、腕部が握りやすいといった、物干し装置の安全性、操作性をより高めることができる。
【発明を実施するための最良の形態】
【００１０】
以下、図面に基づいて本発明の実施形態である物干し装置を説明する。尚、本発明は本実施形態の記載内容に限られるものではない。
【００１１】
図１〜図４は本実施形態１に係わる物干し装置Ａを設置した開口部Ｂを示したものであって、図１は物干し装置Ａを開口部Ｂに格納した状態、図２は物干しとして使用しない場合の腕部２の状態、図３は物干しとして使用する場合の腕部２の回動方向、図４は腕部２の回動時の状態を示している。
【００１２】
物干し装置Ａは、図１に示すように、室内の開口部Ｂに沿って備え付けられ、干し竿１と、干し竿１の両端に備え付けられる一対の腕部２と、上部断面が略円弧状の支持部３と、支持部３を開口部側面１０に固定する台部４からなり、上記腕部２の一端が、上記支持部３に水平方向または斜め方向または垂直方向に回動するように軸部６によって軸着されている。
【００１３】
また、腕部２は図２に示すように、開口部側面１０に沿って配置される。
【００１４】
ここで、物干し装置Ａを物干しとして使用する場合は、図３に示す、物干しとして使用する前の腕部２の状態（点線表示）から、軸部６を軸として水平方向、斜め方向、垂直方向と円弧状に回動していく。
【００１５】
このとき、支持部３の上部断面が腕部２の回動に沿って略円弧状となっているので、腕部２の端面と支持部３の上面との隙間Ｃを、ほぼ一定の狭い間隔で、常に保つことができる。
【００１６】
支持部３の上面は略半球状としたが、上部断面が略円弧状であればよく、腕部２の端面が略コの字型の場合はかまぼこ状（図示せず）である等、これに限らず、また、図４に示すように、上部３aを下部３ｂに着脱可能な状態にしてもよい。これにより、上部３ａを嵌めかえるだけで、腕部２の様々な端面形状に対応する事ができる。上部３ａは合成樹脂製としたが、これに限らず、金属製でもよい。
【００１７】
図５は本実施形態２に係わる、台部４にスペーサー５を介した状態を示している。
【００１８】
物干し装置Aにおいて、台部４を、スペーサー５を介して開口部側面１０に固定するため、スペーサー５により、開口部側面１０と腕部２との隙間が広がるため、物干し装置Aを物干しとして使用する場合、腕部２がより握りやすくなる。スペーサー５は台部４と同じ形状にしたが、これに限らず、台部底面（図示せず）に収まる形状であればよい。また、スペーサー５の厚みにおいても、腕部２と開口部側面１０との隙間Ｄに指が入るだけの幅が設けられる厚みであればよく、特に限定しない。
【産業上の利用可能性】
【００１９】
本発明は、物干し装置を使用する際の操作性、安全性を高める点で極めて有用であり、産業上の利用可能性が高い。
【図面の簡単な説明】
【００２０】
【図１】本発明の実施形態１に係る物干し装置を開口部に格納した状態の要部斜視図
【図２】同要部の、腕部と支持部の部分正面図
【図３】同要部の、腕部の動きを示す説明図
【図４】同要部の、腕部の回動時の部分正面図
【図５】本発明の実施形態２に係る、台部にスペーサーを介した状態の部分側面図
【図６】従来例を示す部分正面図
【符号の説明】
【００２１】
Ａ              物干し装置
Ｂ              開口部
Ｃ、Ｄ、Ｅ      隙間
１              干し竿
２              腕部
３              支持部
４              台部
５              スペーサー
６              軸部
１０            開口部側面              
【図１】
0005166887.tif 000002
【図２】
0005166887.tif 000003
【図３】
0005166887.tif 000004
【図４】
0005166887.tif 000005
【図５】
0005166887.tif 000006
【図６】
0005166887.tif 000007